(57)【要約】      （修正有）【課題】既存の多くの防水扉の開閉装置は種々の動力源を採用しているが、構造や操作の機能が複雑であったり、或いは災害の発生時や暴風等の悪環境下での緊急操作は危険が伴ったり、又、遠隔操作では停電などの突発事故で操作不能に陥ることがある。それらの欠点がない防水扉閉鎖装置を提供する。【解決手段】滑車装置３と動力源発生装置との連係機能で引っ張り要具１０や吊り下げ要具９を変移させて防水扉２を自動的に閉鎖する機構で、動力源発生装置の開口部から増水が流入し、流入水容器５上の質量が一定の重力に達すると回転力補助用ドラムに重力を与えて補助し滑車の回転動作を容易にして流入水容器を降下させて連係の防水扉も閉鎖運動を開始する。従って動力源は自然的に発生するので人手の操作は不要であり、また、防水扉の暴走を防止する為、開口部閉鎖用の蓋１７や空気流量制限器具２０等を設けて防水扉の速度を制御している。【選択図】図２
2015180796.tif 000002
【特許請求の範囲】
【請求項１】
押し寄せてくる増水した海水や淡水の質量の変化に基づく重力よって発生する物体の変位運動を動力源として、定滑車と動滑車の組み合わせによる滑車機能を応用して、自然的に防水扉の閉鎖駆動動作を行う事を特徴とする、防水扉自動閉鎖装置。
【請求項２】
流入水量の増加に伴い流入水容器が受ける重力は急激に増大し容器の降下速度は急増へと変化が予想されるが、同時に、連係の防水扉の閉鎖移動速度も加速度的状況となる事が危惧され、その危険性を回避する手段として、動力源発生装置の流入口の上部側に真空調節機能と吊り下げ要具或いは引っ張り要具の通路を兼ねた小さな一穴を中心部またはその周辺の一点に穿って流入水量の制御機能をも有した特有の蓋と、流入水容器の降下に伴って生じる下部空間部分の圧力の変動を適切に調節して流入水容器の過度の降下速度を抑制させ防水扉の運動を安全速度範囲内に維持する目的の空気流量制限器具、及び動力源発生装置に付帯する空気吸排管内に流通空気の流速を応用して防水扉の閉鎖運動時に周囲に危険を知らせると同時に退避を促す手段の警報音発生器具など、安全運転対策としての各々３体の機器を有する事を特徴とする、請求項１に記載の防水扉自動閉鎖装置。
【請求項３】
主機構である滑車装置関連部門と流入水受け入れ側の動力源発生装置関連部門との二つの機構を、両者を一対として構成した一体型形式と、各々の装置を互いに最適な位置に設置し、方向転換用の固定式滑車や連係する諸要具を利用して運動機能を行う分離型形式との二方式を有する事を特徴とする、請求項１、請求項２に記載の防水扉自動閉鎖装置。
【請求項４】
本装置は大きな質量の短い降下移動距離間で、一定質量の物体を長い距離間移動させる所謂、滑車装置の逆行の機能を応用した装置であって、一定質量の構造物に変位を与える為の滑車の降下向け回転力にはその何倍もの質量の重力が要求されるが、その様な課題を改善すべき目的として、回転ドラムと引っ張り要具および滑車装置を一体形式に仕組んだ駆動機構と、無尽の増量水を活用する動力源発生装置を有する事を特徴とする、請求項１、請求項２、請求項３に記載の防水扉自動閉鎖装置。
【発明の詳細な説明】
【技術分野】
【０００１】  本考案の防水扉自動閉鎖装置は、堤防や工場、公共施設などの多くの場所に装備される移動式や回転式等の開閉扉の自動閉鎖機構において、その動力源発生の仕組や動力の伝達方法などが、自然的に且つ安全に動作する事を目的とした装置の機能や機器に関する。
【背景技術】
【０００２】  これまでに開発されてきたそれぞれの防水扉開閉装置の動力源は、人力やガス圧力式、水圧式、機械式、電動式など多くの方式が考案されているが、その殆んどが現場、或いは遠隔で操作する形式である。【０００３】  上記の様な動力装置は構造が複雑であったり、度々の整備点検などが必要であったり、又、津波による緊急避難時や地震、台風等による停電及び暴風、豪雨等の劣悪環境下での諸々の操作や行動には困難を伴い、危険性が大でもある。【０００４】  尚、本願発明に関連する公知技術として次の特許文献１，２，３を挙げることができる。
【特許文献１】  特許  ３９３５７７９
【特許文献２】  特許  ４９９７０１４
【特許文献３】  特開  ２０１３−１４４９１３
【発明の開示】
【発明が解決しようとする課題】
【０００５】  上記文献１の横引き式ゲートの動力源は、水道水を利用した水圧シリンダーで駆動する仕組みであり、本考案の動力装置とは異なり、震災等の最悪の場合は水道管の破損などで、作動が不能となる危険性がある。【０００６】  文献２の防水扉の開閉装置は、電源の不必要は本発明装置と同様であるが、然しながら、冠水時の水を感知して自動的に作動させる仕組みは、圧力ガスや圧力流体が常に必要である関係上、震災などの最悪の場合には、その作動システムの機能障害が懸念される。【０００７】  文献３は、襲来してきた増水自体の利用は本発明の防水扉自動閉鎖装置と一致するが、その動力手段としての本発明装置はその重力を応用した単純な装置であり、文献３の装置の動力源は増水による浮力の応用であって、重要課題である動力源発生手段の形態や機能は、本発明の装置とは完全に相違するものである。【０００８】  上述のように、それぞれの形式の防水扉の駆動には、現場での運転操作が必要なものが多々であり、風水害が差し迫っている場合などには危険性が高いなどの欠点がある。【０００９】  遠隔操作の形式では、地震や風水害等による停電などで操作不能になる恐れがあるし、複雑な操作機能であれば、環境の悪化に伴った故障等の不具合が発生する事もあり得る。【００１０】  本発明が解決しようとする課題は、防水扉閉鎖時での動力源の種類は、緊急時でも人力での押し方移動や手動ハンドル操作であったり、劣悪な環境下で危険性が大きな場合でも動力装置の装着が必要不可欠な機種を度々見聞するが、本案装置の動力源はその様な危険な環境下においても状況に応じて自然的に作動し、また、駆動操作も人為不要である為、自動的に安全確実に行われる機構である事を特徴としている。
【課題を解決する手段】
【００１１】  既製の各機構の動力装置は、防水扉に直接取り付ける形式や、複数の人力で押して閉鎖する防水扉が多く見られるが、本考案の装置は既存の防水扉であっても引っ張り要具の先端部を連結するだけで動作でき、又、動力源発生機能の容量次第では、近辺に装備された同形式で同じ移動距離等の条件が揃えば、複数の防水扉に連結して同時閉鎖運転の可能性も想定できるし動力源発生装置の設置場所も自由に選定ができる為、防水扉の閉鎖時機や逃避のタイミングなどの計画も立て易い。
【００１２】  本考案の装置は、強固に設置された動力源発生装置への増水の流入が始まり、その流入水の質量が設定値以上に達するとその重力で各滑車が回転を始め流入水容器は下降を始めるが、一方、滑車装置と連係している引っ張り要具に繋がった防水扉はその動力によって引かれ閉鎖位置に移動する仕組みで、その閉鎖動作は自然的に行なわれる為、人為操作のような堤防の外側にいる人々に対する閉鎖時機の配慮や決断等の心労は軽減され、又、避難援護者や救難担当者等の退避の判断も容易にできる。
【００１３】  動力源発生装置は底付きの円筒容器で、内部にはパッキン付きの流入水容器と少数の付属機器の装備のみで自然的な動力源の発生機能は成り立つから、滑車装置と同様に構造や機能は簡素であり、又、津波や豪雨による河川の氾濫或いは台風による高潮などの増水時には、増水そのものが浸水遮断の動力源となる為、前もって避難するなどの対策が取れる事から上記のような課題は解決ができる。
【発明の効果】
【００１４】  以上説明したように本装置は、人手の操作は必要なく自然的な閉鎖運動を特徴とし、又、構造や機能が単純である為、故障や手入れが少ない等の経済的な優位性を有し、緊急を要するような水害に対しても自動的に作動するなどの観点から、退避優先が可能になり安全対策にも極めて有効である。
【発明を実施するための最良の形態】
【００１５】  以下、本発明の実施の形態を図面に基づき詳細に説明する。
図１は、本考案装置の基本的な実施の形態に係り、運動停止中で待機状態を表す概観図、図２は図１の装置の動作形態の変更で滑車装置と動力源発生措置とを分離した機能での運転中を表するもので、流入水容器が支える質量の全重力が防水扉の抵抗に勝って移動し防水扉が閉鎖間際の状態を示す概観図であり、図３は二つの回転ドラムを供回り構造とし、負荷に連結した引っ張り要具は回転ドラムの一つに巻き入れ、片方のドラムに巻き付けた引っ張り要具は、滑車装置に連係して定滑車と動滑車の連携動作機能で動力源発生装置内の質量を支え、その質量の重力をドラムに伝達する構成であるが、この質量、即ち、動力源発生装置の容量の少量化を目的に、上述の二つの回転ドラムの回転による相反する機能で刻々と変化する相互のドラムの引っ張り要具の巻き付け量の高さの差に基づく回転トルクや移動距離の力学的変化等の視点から、最大荷重の始動時における滑車の回転力の省力化を目標とした機能の構成を表わす概観図である。【００１６】  今、或る災害、例えば豪雨による洪水が発生して急激に水嵩が増し水面が本発明装置の流入位置にまで達したとすると、直ちに受け入れ口に設けた二重の濾過器１４を通して全開状態の動力源発生装置４内に流入が始まる為、流入水容器５上の水量が増加してその重力による引っ張り力が防水扉２の初動の抵抗力に勝ったとき、流入水容器５は降下を始めると同時に連係した防水扉２も移動を開始する。【００１７】  緊急を要する扉の閉鎖行動を遂行する為には、初期の流入水受け入れ口は全開のままに保ち、防水扉の運動が始まるとその慣性は変化する為、移動負荷は徐々に減少傾向となるが、受け入れ口が全開の儘では防水扉の移動速度は急激に加速して危険な状態になる恐れが生じ、安全な閉鎖移動ができなくなる懸念も有する。【００１８】  上記のような状態を回避する手段として、防水扉の移動進行中で閉鎖が間近な状態を表す図２を参考に説明すると、重力を支えている流入水容器が下降を始めるとそれに伴って蓋も降下して動力源発生装置４の流入水口を徐々に塞ぐため流入水量は減少を続けるが、図２の様な塞がった状態に到ると流入水量は蓋に穿った小穴１８のみとなり、流入水容器の降下速度、即ち、防水扉の移動速度はある程度の増速状態を維持する。【００１９】  速度制御の併用手段として、動力源発生装置４の最下部から空気吸排管６の先端部との間に設けた空気流量制限器具２０で流入水容器５の降下に伴って圧縮される空気圧力の調節や、制御用蓋の小穴の真空調節などの効用で流入水容器の降下速度に反抗し、防水扉の減速に役立てる手立である。【００２０】  本発明装置の使用が終了し開門の作業を開始する際は、簡単に取り外しが可能な様に設計された二重方式の濾過器１４から、内部の水量制御用の蓋１７に固定されたキャップ付ホース挿入管１９のキャップを外し、排出ポンプのホースを挿入して内部の流入水を全て排出して軽量にし、専用の手動ハンドルやチエ―ンブロック等の利用で、容易に移動扉の開口は可能である。【００２１】  以上、本発明の実施の形態を説明したが課題としては、本案装置に利用する滑車装置の特質的な機能を逆手に活用するためには、防水扉の初動負荷に対して大きな質量の重力、即ち、容量大の動力源発生装置が必要でありその構造や装備面などを考慮すれば、滑車の下降向け回転力を高める方策が求められるが、例えば、補助的な機能が期待できる回転ドラムを活用する、図３、の様に二個の回転ドラムを一体化して供回り形式とし、互いの力学的変化を応用する方法など、滑車と回転ドラムの活用、ドラムの使用数や使用箇所、形状や大きさ、及び、連係方法などの種々の工夫で滑車の降下方向への回転力を補助する有効的な手法が求められるし、又、速度制御機構などが防水扉自動閉鎖機能の性能向上を左右する主要素であり、それらに関しての探求が重要であると考える。
【産業上の利用可能性】
【００２２】  地震による津波や豪雨がもたらす洪水、或いは、台風による高潮など、異常気象に起因した人命を脅かすような災害が多発しているが、このような危機的な環境から生命を守る手段としては、やはりそれなりの防御施設を施しておく事が肝要であろうし、その為には安全施設の構築や据付など産業上の利用性は大いに有するものと思われる。
【図面の簡単な説明】
【００２３】
【図１】  本発明の基本的形態の防水扉自動閉鎖装置の停止状態の概観図。
【図２】  流入水制御用の特徴的な蓋が流入口を塞ぎ、防水扉が移動進行中で閉鎖間際の状態を表す概観図。、
【図３】  目的の構造物に連結の引っ張り要具にかかった荷重を、回転ドラムを介して滑車装置に連係し、その滑車の運動を動力源発生装置に伝達して質量に変位を与える構成の概観図。
【符号の説明】
【００２４】  １        堤防、防災壁
２        防水扉
３        滑車装置
４        動力源発生装置
５        流入水容器
６        空気吸排管
７        定滑車
８        動滑車
９        吊り下げ要具
１０      引っ張り要具
１１      レール
１２      定滑車用横軸
１３      動滑車用横軸
１４      濾過器
１５      パッキン
１６      蓋支持要具
１７      流入水制御用蓋
１８      小穴
１９      キャップ付挿入管
２０      空気流量制限器具
２１      ローラー
２２      警報音発生器
２３      方向転換用定滑車
２４      保護管
２５      回転ドラム
Ａ        地表
Ｂ        地中
【図１】
2015180796.tif 000003
【図２】
2015180796.tif 000004
【図３】
2015180796.tif 000005
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
押し寄せてくる増水した海水や淡水の質量の変化に基づく重力によって発生する物体の変位運動を動力源として、定滑車と動滑車の組み合わせによる滑車機能を応用して、自然的に防水扉の閉鎖駆動動作を行う事を特徴とする、防水扉自動閉鎖装置。
【請求項２】
流入水量の増加に伴い流入水容器が受ける重力は急激に増大し容器の降下速度は急増へと変化が予想されるが、同時に、連係の防水扉の閉鎖移動速度も加速度的状況が危惧されその危険性を回避する手段として、動力源発生装置の流入口の上部側に真空調節機能と吊り下げ要具の通路を兼ねた小さな一穴を中心部に穿って流入水量の制御機能をも有し、なおかつ排水管付きホース挿入菅を装着し固定した特有の蓋と、上下方向への回転式防水扉の開放時における降下速度の暴走抑止手段として、強靭な構造で浮上式の水圧調節器、及び流入水容器の降下または上昇に伴って生じる下部空間部分の圧力の変動を適切に調節して流入水容器の降下速度や上昇速度を抑制させ、防水扉の運動を安全速度範囲内に維持する目的の空気流量制限器具、ならびに、動力源発生装置に付帯する空気吸排菅内に流通空気の流速を応用して防水扉の閉鎖運動時に周囲に危険を知らせると同時に退避を促す手段の警報音発生器具など、安全運転対策としての各々４点の機器を有する事を特徴とする、請求項１に記載の防水扉自動閉鎖装置。
【請求項３】
主機構である滑車装置関連部門と流入水受け入れ側の動力源発生装置関連部門との二つの機構を、両者を一対として構成した一体型形式と、各々の装置を互いに最適な位置に設置し、方向転換用の固定式滑車や連係用の諸器具を利用して運動機能を行う分離型形式との二方式を有する事を特徴とする、請求項１、請求項２に記載の防水扉自動閉鎖装置。
【請求項４】
本装置は大きな質量の短い降下移動距離間で、一定質量の物体を長い距離間移動させる所謂、滑車装置の逆行の機能を応用した装置であって、一定質量の構造物に変位を与える為の滑車の降下向け回転力にはその数倍もの質量の重力が要求されるが、そのような課題を改善すべき目的として、回転ドラムと引っ張り要具および滑車装置を一体形式に仕組んで滑車の降下向け回転力に補助的な力を促す回転ドラムの機能を応用した駆動機構と、襲来する増量水から必要水量を取り入れ、その重力の応用で作動する動力源発生装置との二点を有する事を特徴とする、請求項１、請求項２、請求項３に記載の防水扉自動閉鎖装置。
【手続補正２】
【補正対象書類名】明細書
【補正対象項目名】全文
【補正方法】変更
【補正の内容】
【発明の詳細な説明】
【技術分野】
【０００１】  本考案の防水扉自動閉鎖装置は、堤防や工場、公共施設などの多くの場所に装備される移動式や回転式等の開閉扉の自動閉鎖機構において、その動力源発生の仕組や動力の伝達方法などが、自然的に且つ安全に動作する事を目的とした装置の機能や機器に関する。
【背景技術】
【０００２】  これまでに開発されてきたそれぞれの防水扉開閉装置の動力源は、人力やガス圧力式、水圧式、機械式、電動式など多くの方式が考案されているが、その殆んどが現場、或いは遠隔で操作する形式である。【０００３】  上記の様な動力装置は構造が複雑であったり、度々の整備点検などが必要であったり、又、津波による緊急避難時や地震、台風等による停電及び暴風、豪雨等の劣悪環境下での諸々の操作や行動には困難を伴い、危険性が大でもある。【０００４】  尚、本願発明に関連する公知技術として次の特許文献１，２，３を挙げることができる。
【特許文献１】  特許  ３９３５７７９
【特許文献２】  特許  ４９９７０１４
【特許文献３】  特開  ２０１３−１４４９１３
【発明の開示】
【発明が解決しようとする課題】
【０００５】  上記文献１の横引き式ゲートの動力源は、水道水を利用した水圧シリンダーで駆動する仕組みであって、その動力源は人為的に制御された生活水であるが、本考案の動力装置に応用の動力水は、自然環境の変動に伴って発生する増量水の活用であって、双方の動力水源は根本的に異なるものである。【０００６】  文献２の防水扉の開閉装置は、電源の不必要は本発明装置と同様であるが、然しながら、冠水時の水を感知して自動的に作動させる仕組みは、圧力ガスや圧力流体が常に必要である関係上、それらの維持管理が重要になってくる。【０００７】  文献３の上下方向への回転式防水扉は、襲来してきた増水自体の利用は本発明の防水扉自動閉鎖装置と一致するが、その動力手段としての本発明装置はその重力を応用した単純な装置であり、文献３の装置の動力源は増水による浮力の応用であって、重要機構の原点である動力源発生手段の形態や機能は、本発明の装置とは完全に相違するものである。【０００８】  上述のように、それぞれの形式の防水扉の駆動には、現場での運転操作が必要なものが多々であり、風水害が差し迫っている場合などには危険性が高いなどの欠点がある。【０００９】  遠隔操作の形式では、地震や風水害等による停電などで操作不能になる恐れがあるし、複雑な操作機能であれば、環境の悪化に伴った故障等の不具合が発生する事もあり得る。【００１０】  本発明が解決しようとする課題は、防水扉閉鎖時での動力源の種類は、緊急時でも人力での押し方移動や手動ハンドル操作であったり、劣悪な環境下で危険性が大きな場合でも動力装置の装着が不可欠な機種を度々見聞するが、本案装置の動力源はその様な危険な環境下においても状況に応じて自然的に作動し、また、駆動操作も人為不要である為、自動的に安全確実に行われる機構である事を特徴としている。
【課題を解決する手段】
【００１１】  既製の各機構の動力装置は、防水扉に直接取り付ける形式や、複数の人力で押して閉鎖する防水扉が多く見られるが、本考案の装置は既存の防水扉であっても引っ張り要具の先端部を連結するだけで動作でき、又、動力源発生機能の容量次第では、近辺に装備された同形式で同じ移動距離等の条件が揃えば、複数の防水扉に連結して同時閉鎖運転の可能性も想定できるし動力源発生装置の設置場所も自由に選定ができる為、防水扉の閉鎖時機や逃避のタイミングなどの計画も立て易い。
【００１２】、
本考案の装置は、強固に設置された動力源発生装置への増水の流入が始まり、その流入水の質量が設定値以上に達するとその重力で各滑車が回転を始め流入水容器は下降を始めるが、一方、滑車装置と連係している引っ張り要具に繋がった防水扉はその動力によって引かれ閉鎖位置に移動する仕組みで、その閉鎖動作は自然的に行なわれる為、人為操作のような堤防の外側にいる人々に対する閉鎖時機の配慮や決断等の心労は軽減され、又、避難援護者や救難担当者等の退避の判断も容易にできる。
【００１３】  動力源発生装置は底付きの円筒容器で、内部にはパッキン付きの流入水容器と少数の付属機器の装備のみで自然的な動力源の発生機能は成り立つから、滑車装置と同様に構造や機能は簡素であり、又、津波や豪雨による河川の氾濫或いは台風による高潮などの増水時には、増水そのものが浸水遮断の動力源となる為、前もって避難するなどの対策が取れる事から上記のような課題は解決ができる。
【発明の効果】
【００１４】  以上説明したように本装置は、人手の操作は必要なく自然的な閉鎖運動を特徴とし、又、構造や機能が単純である為、故障や手入れが少ない等の経済的な優位性を有し、緊急を要するような水害に対しても自動的に作動するなどの観点から、退避優先が可能になり安全対策にも極めて有効である。
【発明を実施するための最良の形態】
【００１５】  以下、本発明の実施の形態を図面に基づき詳細に説明する。
図１は、本考案装置の基本的な実施の形態に係り、運動停止中で待機状態を表す側面から見た全体の概観図であり、図２は図１の装置の動作形態の変更で滑車装置と動力源発生装置とを分離した機能での運転中を表するもので、流入水容器が支える質量の全重力が防水扉の抵抗に勝って移動し防水扉が閉鎖間際の状態を表し、図３は二つの回転ドラムを供回り構造とし、負荷に連結した引っ張り要具は回転ドラムの一つに巻き入れ、片方のドラムに巻き付けた引っ張り要具は、滑車装置に連係して定滑車と動滑車の連携動作機能で動力源発生装置内の質量を支え、その質量の重力をドラムに伝達する構成であるが、この質量、即ち、動力源発生装置の容量の少量化を目的に、上述の二つの回転ドラムの直径の相違や、回転によって刻々と変化する相互ドラムの引っ張り要具巻き付け量の高さの差に基づく回転トルクや移動距離の力学的変化等の見地から、静止物体の始動時における滑車の回転力の軽減化を目的とした機能の構成を表わす概観図であり、図４は上下に回転する防水扉の開放動作中を表す側面から見た全体図であるが、この形式の防水扉開放の動力源は扉自体の重力である為、冠水状態が消滅後も開放作業を始める迄は安全確保上無移動状態を維持する必要があり動力源発生装置内の作動水の持続保持が求められるが、扉の開放作業実施時にはホース挿入菅の開閉弁付き排水菅３２にホースを繋いで徐々に吸引排出しながら開放方向に扉を押しやれば扉は自重で回転下降を始め、同時に開閉弁を閉鎖すれば、動力源発生装置の内側に設けた円形状の浮上式水圧調節器２９に穿った複数の小孔からの排水量で水圧を調節しながら防水扉の降下速度を抑制する仕組みであり、この機構は住宅や公共施設などの浸水対策としての比較的小規模で軽量の上下方向回転式防水扉などに活用が期待できるし、また、図５は上下方向回転式防水扉の全開状態で無動作状態を表示する、一体型形式の駆動機構の正面から見た概観の図面である。【００１６】  今、或る災害、例えば豪雨による洪水が発生して急激に水嵩が増し水面が本発明装置の流入位置にまで達したとすると、直ちに受け入れ口に設けた二重の濾過器１４を通して全開状態の動力源発生装置４内に流入が始まる為、流入水容器５上の水量が増加してその重力による引っ張り力が防水扉２の初動の抵抗力に勝ったとき、流入水容器５は降下を始めると同時に連係した防水扉２も移動を開始する。【００１７】  緊急を要する扉の閉鎖行動を遂行する為には、初期の流入水受け入れ口は全開のままに保ち、防水扉の運動が始まるとその慣性は変化する為、移動負荷は徐々に減少傾向となるが、受け入れ口が全開の儘では防水扉の移動速度は急激に加速して危険な状態になる恐れが生じ、安全な閉鎖移動ができなくなる懸念も有する。【００１８】  上記のような状態を回避する手段として、防水扉の移動進行中で閉鎖が間近な状態を表す図２を参考に説明すると、重力を支えている流入水容器が下降を始めるとそれに伴って蓋も自重で降下し動力源発生装置４の流入水口を徐々に塞ぐため流入水量は減少を続けるが、図２の様な塞がった状態に到ると流入水量は蓋に穿った小穴１８のみとなり、流入水容器の降下速度、即ち、防水扉の移動速度はある程度の増速状態を維持する。【００１９】  速度制御の併用手段として、動力源発生装置４の最下部から空気吸排管６の先端部との間に設けた空気流量制限器具２０で流入水容器５の降下や上昇に伴って変動する空気圧力の調節や、制御用蓋の小穴の真空調節などの効用で流入水容器の降下や上昇速度に反抗し、防水扉の減速に役立てる手立である。【００２０】横引き式防水扉の閉鎖期間が完了して開門作業を行う場合は、簡単に取り外しが可能に設計された二重方式の濾過器１４から、流入水制御用の蓋１７に固定されたキャップ付ホース挿入管１９のキャップを外し、排出ポンプのホースを挿入して内部の流入水を全て排出して軽量にし、専用の手動ハンドルやチェーンブロック等の利用で、容易に移動扉の開口は可能である。【００２１】  以上、本発明の実施の形態を説明したが課題としては、本案装置に利用する滑車装置の特質的な機能を逆手に活用するためには、防水扉の初動負荷に対して大きな質量の重力、即ち、容量大の動力源発生装置が必要でありその構造や装備面などを考慮すれば、滑車の下降向け回転力を高める方策が求められるが、例えば、補助的な機能が期待できる回転ドラムを活用する、図３、の様に二個の回転ドラムを一体化して供回り形式とし、互いの力学的変化を応用する方法など、滑車と回転ドラムの活用、ドラムの使用数や使用箇所、形状や大きさ、及び、連係方法などの種々の工夫で滑車の降下方向への回転力を補助する有効的な手法が求められるし、又、速度制御機構などが防水扉自動閉鎖機能の性能向上を左右する主要素であり、それらに関しての探求が重要であると考える。
【産業上の利用可能性】
【００２２】  地震による津波や豪雨がもたらす洪水、或いは、台風による高潮など、異常気象に起因した人命を脅かすような災害が多発しているが、このような危機的な環境から生命を守る手段としては、やはりそれなりの防御施設を施しておく事が肝要であろうし、その為には安全施設の構築や据付など産業上の利用性は大いに有するものと思われる。
【図面の簡単な説明】
【００２３】
【図１】本発明の基本的形態の防水扉自動閉鎖装置の停止状態の側面全体を表す概観図。
【図２】流入水制御用の特有の蓋が流入口を塞ぎ、防水扉が移動進行中で閉鎖間際の状態を表す側面から見た機能の作動図。、
【図３】動力源発生装置の質量の変位を滑車装置の運動を介して二つの回転ドラムの引っ張り要具に伝達し、連結した目的の構造物に移動動作を与える構成の側面から見た概観図。
【図４】上下方向回転式の防水扉自動閉鎖装置の開放機能を表す全体機構の側面図。
【図５】上下方向回転式の防水扉自動閉鎖機構の運転待機状態で、動力源発生装置内に装備された扉の移動速度抑制目的の浮上式水圧調節器の体止状態を表す正面図。
【符号の説明】
【００２４】１      堤防、防災壁
２      防水扉
３      滑車装置
４      動力源発生装置
５      流入水容器
６      空気吸排管
７      定滑車
８      動滑車
９      吊り下げ要具
１０    引っ張り要具
１１    レール
１２    定滑車用横軸
１３    動滑車用横軸
１４    濾過器
１５    パッキン
１６    蓋支持要具
１７    流入水制御用蓋
１８    小穴
１９    キャップ付ホース挿入管
２０    空気流量制限器具
２１    ローラー
２２    警報音発生器
２３    方向転換用定滑車
２４    保護管
２５    回転ドラム
２６    回転軸
２７    回転軸受け
２８    浮上式水圧調節器
２９    水圧調節器支持具
３０    排水孔
３１    水圧調節器ガイド孔
３２    開閉弁付き排水菅
Ａ      地表
Ｂ      地中
【手続補正３】
【補正対象書類名】図面
【補正対象項目名】図４
【補正方法】追加
【補正の内容】
【図４】
2015180796.tif 000006
【手続補正４】
【補正対象書類名】図面
【補正対象項目名】図５
【補正方法】追加
【補正の内容】
【図５】
2015180796.tif 000007
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
押し寄せてくる増水した海水や淡水の質量の変化に基づく重力によって発生する物体の変位運動を動力源として、定滑車と動滑車の組み合わせによる滑車機能を応用して、自然的に防水扉の閉鎖駆動動作を行う事を特徴とする、防水扉自動閉鎖装置。
【請求項２】
流入水量の増加に伴い流入水容器が受ける重力は急激に増大し容器の降下速度は急増へと変化が予想されるが、同時に、連係の防水扉の閉鎖移動速度も加速度的状況が危惧されその危険性を回避する手段として、動力源発生装置の流入口の上部側に真空調節機能と吊り下げ要具の通路を兼ねた小さな一穴を中心部に穿って流入水量の制御機能をも有し、なおかつ排水管付きホース挿入菅を装着し固定した特有の蓋と、上下方向への回転式防水扉の開放時における降下速度の暴走抑止手段として、強靭な構造で浮上式の水圧調節器、及び流入水容器の降下または上昇に伴って生じる下部空間部分の圧力の変動を適切に調節して流入水容器の降下速度や上昇速度を抑制させ、防水扉の運動を安全速度範囲内に維持する目的の空気流量制限器具、ならびに、動力源発生装置に付帯する空気吸排菅内に流通空気の流速を応用して防水扉の閉鎖運動時に周囲に危険を知らせると同時に退避を促す手段の警報音発生器具など、安全運転対策としての各々４点の機器を有する事を特徴とする、請求項１に記載の防水扉自動閉鎖装置。
【請求項３】
主機構である滑車装置関連部門と流入水受け入れ側の動力源発生装置関連部門との二つの機構を、両者を一対として構成した一体型形式と、各々の装置を互いに最適な位置に設置し、方向転換用の固定式滑車や連係用の諸器具を利用して運動機能を行う分離型形式との二方式を有する事を特徴とする、請求項１、請求項２に記載の防水扉自動閉鎖装置。
【請求項４】
本装置は大きな質量の短い降下移動距離間で、一定質量の物体を長い距離間移動させる所謂、滑車装置の逆行の機能を応用した装置であって、一定質量の構造物に変位を与える為の滑車の降下向け回転力には多大な質量の重力、即ち、大容量の動力源発生装置が必要であり課題を有するがその改善策として、滑車装置の降下方向への回転力の向上機構や、動力源発生装置の効率化等が求められるが、それらの改善策考案の要旨は、回転ドラムと引っ張り要具および滑車装置を一体形式に仕組み、滑車の回転力向上に効力が期待できる駆動機構と動力源発生装置の流入水容器内に高比重物質の一定質量を内蔵保持し、その質量分に対応した容積への流入水質量の重力で作動する動力源発生装置の縮小化対策等を有する事を特徴とする、請求項１、請求項２、請求項３に記載の防水扉自動閉鎖装置。
【手続補正２】
【補正対象書類名】明細書
【補正対象項目名】００２１
【補正方法】変更
【補正の内容】
【００２１】  以上、本発明の実施の形態を説明したが課題としては、本案装置に利用する滑車装置の特質的な機能を逆手に活用するためには、防水扉の初動負荷に対して大きな質量の重力、即ち、大容量の動力源発生装置が求められる為実用化には難点が伴い、その改善策として、例えば、流入水容器５内に鉄屑等に類の高比重物質３３の一定質量分を内蔵保持し、図３、図５、取水質量を制御する事で動力源発生装置の縮小化が図れるし、又、滑車装置の下降向け回転力の補助手段として、複数の回転ドラムを供回り形式とし互いの力学的なトルク変化を応用する等、滑車と回転ドラムの活用、形状や大きさ、連係方法など種々の工夫を施せば、滑車の降下への回転動作に好果が期待できるし、又、速度制御機構などの機能が防水扉自動閉鎖装置の性能を左右する主要素から、それらに関しての探究も重要である。
【手続補正３】
【補正対象書類名】明細書
【補正対象項目名】００２４
【補正方法】変更
【補正の内容】
【００２４】１    堤防、防水壁
２    防水扉
３    滑車装置
４    動力源発生装置
５    流入水容器
６    空気吸排菅
７    定滑車
８    動滑車
９    吊り下げ要具
１０  引っ張り要具
１１  レール
１２  定滑車用横軸
１３  動滑車用横軸
１４  濾過器
１５  パッキン
１６  蓋支持要具
１８  小穴
１９  キャップ付きホース挿入菅
２０  空気流量制限器具
２１  ローラー
２２  警報音発生器
２３  方向転換用定滑車
２４  保護菅
２５  回転ドラム
２６  回転軸
２７  回転軸受け
２８  浮上式水圧調節器
２９  浮上式水圧調節器支持具
３０  排水孔
３１  浮上式水圧調節器ガイド孔
３２  開閉弁付き排水管
３３  高比重の物質
３４  水密用蓋
Ａ    地表
Ｂ    地中
【手続補正４】
【補正対象書類名】図面
【補正対象項目名】図３
【補正方法】変更
【補正の内容】
【図３】
2015180796.tif 000008
【手続補正４】
【補正対象書類名】図面
【補正対象項目名】図５
【補正方法】変更
【補正の内容】
【図５】
2015180796.tif 000009